(57)【特許請求の範囲】
【請求項１】
屋根化粧パネルを取付けるためのパネル受部材と、屋根材に取付ける取付部材とを連結具で回転自在に連結し、これらパネル受部材と取付部材が、起立又は折畳可能に構成された屋根化粧パネル取付金具において、
上記パネル受部材は、アングル形状をなし、その両端面に屋根化粧パネルの上、下折縁を受止固定する受止折曲片を折曲延設し、かつ
上記取付部材は、固定片に一片を折曲延設して立上片を設けたアングル形状をなし、更に、
上記取付部材の立上片には、上記パネル受部材を折畳んだときに、このパネル受部材の受止折曲片の一片を収容するスリット開口を形成したことを特徴とする屋根化粧パネル取付金具。
【請求項２】
請求項１において、
上記スリット開口の周縁には、内方に向けて突出された補強用リブを形成したことを特徴とする屋根化粧パネル取付金具。
【請求項３】
請求項１又は２の何れかにおいて、
上記スリット開口の周端縁には、内側に向けて膨出された凸部を形成したことを特徴とする屋根化粧パネル取付金具。
【請求項４】
請求項３において、
上記凸部の先端は、半球状に形成したことを特徴とする屋根化粧パネル取付金具。
【請求項５】
請求項１〜４の何れかにおいて、
上記スリット開口は、開放側から閉止側に向けて、徐々に狭くなるテーパー状に形成したことを特徴とする屋根化粧パネル取付金具。
【請求項６】
請求項１〜５の何れかにおいて、
上記スリット開口は、間隔をあけて複数形成したことを特徴とする屋根化粧パネル取付金具。
【発明の詳細な説明】
【技術分野】
【０００１】
本発明は、屋根の軒先、ケラバ等に設けられる屋根化粧パネルを取付けるための屋根化粧パネル取付金具に関する。
【背景技術】
【０００２】
従来、折板屋根などの軒先やケラバには、屋根化粧パネル取付金具によって屋根化粧パネルを取り付けており、この屋根化粧パネル取付金具は、屋根材に固着して取付けられる取付部材と、この取付部材に略直交する方向に固定して連結されたパネル受部材とを組み合わせて構成している。（例えば、特許文献１参照。）。
【０００３】
この屋根化粧パネル取付金具の使用に際しては、例えば、屋根の適所にボルト、ナット等で上記取付部材を固定し、次いで、上記取付部材の先端に上記パネル受部材を略鉛直方向に位置付けたうえで、ボルト、ナット等の連結具を締め付けて、上記取付部材の先端に上記パネル受部材を連結させて固定する。
【０００４】
そして、この鉛直方向に固定されたパネル受部材に、上記屋根化粧パネルを被覆させて係止させ、屋根の軒先、ケラバ等に屋根化粧パネルを取付けるのである。
【特許文献１】特願平１１−２９３１７１号
【発明の開示】
【発明が解決しようとする課題】
【０００５】
しかし、この屋根化粧パネル取付金具では、以下の問題があった。
【０００６】
すなわち、屋根化粧パネル取付金具は、パネル受部材と、取付部材と、これらを連結するボルト、ナット等の連結具とで構成されているが、各々の部材を仮組みせずに、作業現場に搬送し、これを高所の作業現場で一々組み立てて使用することは、危険であるうえ、非常に手間を要するという問題があった。
【０００７】
一方、この問題を回避するため、各々の部材を仮組み状態で搬送することも可能である。
【０００８】
ところが、この仮組み状態のままでは、パネル受部材と、取付部材とをコンパクトに折り畳むことができないため、搬送時に大型化となり、持ち運びが不便なうえ、輸送コストも増すという問題があった。
【０００９】
しかも、この仮組み状態では、上記パネル部材が輸送中などの衝撃によって、損傷する危険や、ガタツキを生じ易いとい問題もあった。
【００１０】
本発明は、かかる課題を解決することを目的とするもので、仮組み状態であっても、折り畳んでコンパクトに搬送できるうえ、搬送中の損傷やガタツキを防止できる屋根化粧パネル取付金具を提供する。
【課題を解決するための手段】
【００１１】
上記目的を達成するため、
請求項１に係る屋根化粧パネル取付金具は、屋根化粧パネルを取付けるためのパネル受部材と、屋根材に取付ける取付部材とを連結具で回転自在に連結し、これらパネル受部材と取付部材が、起立又は折畳可能に構成された屋根化粧パネル取付金具において、上記パネル受部材は、アングル形状をなし、その両端面に屋根化粧パネルの上、下折縁を受止固定する受止折曲片を折曲延設し、かつ上記取付部材は、固定片に一片を折曲延設して立上片を設けたアングル形状をなし、更に、上記取付部材の立上片には、上記パネル受部材を折畳んだときに、このパネル受部材の受止折曲片の一片を収容するスリット開口を形成したことを特徴とする。
【００１２】
このものでは、取付部材の立上片に、パネル受部材の受止折曲片の一片を収容するスリット開口を形成しているので、仮組み状態であっても、連結具を回転軸にして、パネル受部材を取付部材に重合させて折畳み収納することができ、搬送時に小型化となり、持ち運びが便利なうえ、輸送コストをも削減できる。
【００１３】
請求項２に係る屋根化粧パネル取付金具は、請求項１において、上記スリット開口の周縁には、内方に向けて突出された補強用リブを形成したことを特徴とする。
【００１４】
このものでは、内方に向けて突出された補強用リブを形成することで、パネル受部材を取付部材に重合させて折畳み収納することができるうえ、スリット開口部分の強度を高め、且つ、取付部材全体に剛性を高め、搬送中における損傷を防止できる。
【００１５】
請求項３に係る屋根化粧パネル取付金具は、請求項１又は２の何れかにおいて、上記スリット開口の周端縁には、内側に向けて膨出された凸部を形成したことを特徴とする。
【００１６】
このものでは、スリット開口の周端縁には、内側に向けて膨出された凸部を形成しているので、パネル受部材を取付部材に重合させて折畳み収納した後は、上記凸部がパネル受部材に圧接して保持して、輸送中などの衝撃におけるガタツキを防止できる。
【００１７】
請求項４に係る屋根化粧パネル取付金具は、請求項３において、上記凸部の先端は、半球状に形成したことを特徴とする。
【００１８】
このものでは、請求項３における凸部の先端を半球状に形成しているので、パネル受部材をスムーズに折畳んで収納できるうえ、収納時に取付部材の傷付きも防止できる。
【００１９】
請求項５に係る屋根化粧パネル取付金具は、請求項１〜４の何れかにおいて、上記スリット開口は、開放側から閉止側に向けて、徐々に狭くなるテーパー状に形成したことを特徴とする。
【００２０】
このものでは、スリット開口が開放側から閉止側に向けて、徐々に狭くなるテーパー状に形成しているので、パネル受部材をスムーズに嵌入できると共に、このパネル受部材を取付部材に重合させて折畳み収納した後は、上記スリット開口がパネル受部材に噛合して保持し、輸送中などの衝撃におけるガタツキを防止できる。また、収納時に取付部材の傷付きも防止できる。
【００２１】
請求項６に係る屋根化粧パネル取付金具は、請求項１〜５の何れかにおいて、上記スリット開口は、間隔をあけて複数形成したことを特徴とする。
【００２２】
このものでは、スリット開口は間隔をあけて複数形成しているので、所望の位置で、パネル受部材を取付部材に重合させて折畳み収納することができる。
【発明の効果】
【００２３】
本発明によれば、次のような効果がある。
請求項１に係る屋根化粧パネル取付金具によれば、取付部材の立上片に、パネル受部材の受止折曲片の一片を収容するスリット開口を形成しているので、仮組み状態であっても、連結具を回転軸にして、パネル受部材を取付部材に重合させて折畳み収納することができ、搬送時に小型化となり、持ち運びが便利なうえ、輸送コストをも削減できる。
【００２４】
請求項２に係る屋根化粧パネル取付金具によれば、内方に向けて突出された補強用リブを形成することで、パネル受部材を取付部材に重合させて折畳み収納することができるうえ、スリット開口部分の強度を高め、且つ、取付部材全体に剛性を高め、搬送中における損傷を防止できる。
【００２５】
請求項３に係る屋根化粧パネル取付金具によれば、スリット開口の周端縁には、内側に向けて膨出された凸部を形成しているので、パネル受部材を取付部材に重合させて折畳み収納した後は、上記凸部がパネル受部材に圧接して保持して、輸送中などの衝撃におけるガタツキを防止できる。
【００２６】
請求項４に係る屋根化粧パネル取付金具によれば、請求項３における凸部の先端を半球状に形成しているので、パネル受部材をスムーズに折畳んで収納できるうえ、収納時に取付部材の傷付きも防止できる。
【００２７】
請求項５に係る屋根化粧パネル取付金具によれば、スリット開口が開放側から閉止側に向けて、徐々に狭くなるテーパー状に形成しているので、パネル受部材をスムーズに嵌入できると共に、このパネル受部材を取付部材に重合させて折畳み収納した後は、上記スリット開口がパネル受部材に噛合して保持し、輸送中などの衝撃におけるガタツキを防止できる。また、収納時に取付部材の傷付きも防止できる。
【００２８】
請求項６に係る屋根化粧パネル取付金具によれば、スリット開口は間隔をあけて複数形成しているので、所望の位置で、パネル受部材を取付部材に重合させて折畳み収納することができる。
【発明を実施するための最良の形態】
【００２９】
以下、本発明に係る屋根化粧パネル取付金具Ａを図面に基づき説明する。
【実施例１】
【００３０】
図１は、本発明に係る屋根化粧パネル取付金具の一実施例を示す使用状態図、図２は、本発明に係る屋根化粧パネル取付金具の一実施例を示す起立状態の斜視図、図３は、図２の折畳み収納した状態を示す斜視図である。
【００３１】
この屋根化粧パネル取付金具Ａは、屋根化粧パネルＰを取付けるためのパネル受部材１と、このパネル受部材１を屋根材Ｙに固定するための取付部材２とを、ボルト、ナットなどの連結具３で連結されて成る。
【００３２】
屋根化粧パネルＰは、従来同様、金属板、合成樹脂板等で形成されており、その上下端には、パネル受部材１に係止される上、下折縁Ｐ１を形成している。
【００３３】
パネル受部材１は、屋根化粧パネルＰに応じて、これを取付可能な形状であれば良いが、本実施例では、屋根化粧パネルＰの上、下折縁Ｐ１を係止するために、両端面に屋根化粧パネルＰの上、下折縁Ｐ１を受止固定する受止折曲片１１を形成している。
【００３４】
また、パネル受部材１の側面には、長手方向に向けて片部１２を形成しており、この片部１２には、取付け高さを調節するための長孔１３を、略中央から一端側に向けて形成している。
【００３５】
取付部材２は、屋根材Ｙに固定可能であって、且つ、パネル受部材１と折畳可能な形状であれば良いが、本実施例では、立上片２１と固定片２２からなるＬ型アングル材を例示している。
【００３６】
この取付部材２の固定片２２には、屋根材Ｙにボルト等の固定具Ｋを挿通するための複数の取付孔（不図示）を適所に形成している。
【００３７】
また、取付部材２の立上片２１には、パネル受部材１の長孔１３に重合され、且つ、連結具３が挿通される軸孔（不図示）が形成されている。
【００３８】
更に、取付部材２の立上片２１の適所には、パネル受部材１を起立したときに、長孔１３に係止される係止部２５を形成しており、パネル受部材１の起立状態を仮支持できる。
【００３９】
そして、この取付部材２には、パネル受部材１を折畳んだときに、このパネル受部材１の一片である受止折曲片１１を収容するスリット開口２３を形成している。
【００４０】
このスリット開口２３は、パネル受部材１の受止折曲片１１を係止可能な形状であれば矩形状の切り込みであっても構わないが、ここでは、パネル受部材１の受止折曲片１１をスムーズに嵌入するように、スリット開口２３が開放側から閉止側に向けて、徐々に狭くなるテーパー状に形成している。
【００４１】
このように形成されたパネル受部材１の長孔１３と、取付部材２の軸孔（不図示）を重合し、これに連結具３のボルトを貫通したうえで、ナットを螺合すれば、パネル受部材１と取付部材２とが、図２、図３で示すような仮組み状態（連結具３のナットをかたく締め付けていない状態）に連結されて回転自在にできる。
【００４２】
そのため、この仮組み状態であっても、パネル受部材１は、連結具３を軸中心にして図中の矢印に示すように回転され、パネル受部材１と取付部材２とが、連結具３を介して施工組立状態に起立、又は梱包収納状態に折畳み可能となる。
【００４３】
そして、パネル受部材１が折畳まれる際には、図３で示すように、パネル受部材１の一片である受止折曲片１１が、取付部材２のスリット開口２３に収納されるので、仮組み状態であっても、連結具３を回転軸にして、パネル受部材１を取付部材２に重合させて折畳み収納することができ、搬送時に小型化となり、持ち運びが便利なうえ、輸送コストをも削減できるのである。
【００４４】
上述のように形成された屋根化粧パネル取付金具Ａは、以下の要領で施工される。
【００４５】
以下、図１〜図３に基づいて説明する。
【００４６】
先ず、図３のように折畳み収納した仮組み状態のまま、施工現場へと持ち運び、屋根材Ｙの適所に取付部材２の固定片２２を配置し、これを固定具Ｋを用いて屋根材Ｙに固定する。
【００４７】
次いで、パネル受部材１の端部を上方から軽く叩くなどして、スリット開口１１からパネル受部材１の受止折曲片１１の係止を離脱させ、図中矢印に示すように回転させて、パネル受部材１を鉛直方向に向けて起立させる。
【００４８】
そして、図２で示すように、パネル受部材１の内面が、取付部材２の端縁に当接され、それ以上の回転が規制されると共に、パネル受部材１が施工組立状態に起立され、この状態で、連結具３を締め付ければ、長孔１３に係止部２５が係合されると共に、パネル受部材１は、取付部材２と連結して固定される。
【００４９】
最後に、図１で示すように、施工組立状態に起立して固定されたパネル受部材１の受止折曲片１１に、従来同様、屋根化粧パネルＰの上、下折縁Ｐ１の上、下折縁を受止め固定して、屋根の軒先、ケラバ等に屋根化粧パネルＰを施工できるのである。
【実施例２】
【００５０】
図４（ａ）〜（ｄ）は、本発明に係るスリット開口の他の実施例を示す部分拡大した要部の正面図及び側面図である。
【００５１】
なお、図１〜図３と共通する部位には、共通の番号を付し、その説明は省略する。
【００５２】
図４（ａ）〜（ｃ）は、スリット開口２３の周縁には、内方に向けて突出された補強用リブ２６を形成したものである。
【００５３】
ずなわち、図４（ａ）では、スリット開口２３の端縁よりも僅かに内方に、全周縁に亘って内側に向けて押出し形成された補強用リブ２６を形成したものである。
【００５４】
また、図４（ｂ）では、スリット開口２３の端縁の一部を、内方に向けて折り曲げた鍔を形成することで、突出された補強用リブ２６を形成したものである。
【００５５】
また、図４（ｃ）では、スリット開口２３の端縁の全周に亘って、内方に向けて折り曲げた鍔を形成することで、突出された補強用リブ２６を形成したものである。
【００５６】
なお、図４（ｄ）では、図４（ａ）〜（ｃ）で示したスリット開口２３の他の形状を示すものであり、スリット開口２３の下端を、更に下方に向けて凹ませた溝２３ａを形成しており、このような溝２３ａを形成することで、受止折曲片１１がスリット開口２３に収納されたときには、受止折曲片１１が溝２３ａに挟持されて係止できるのである。
【００５７】
このような補強用リブ２６を設けたものによれば、何れも内方に向けて突出された補強用リブ２６を形成しているので、パネル受部材１を取付部材２に重合させて折畳み収納することができるうえ、スリット開口１２の強度を高めて、搬送中における損傷を防止できる。
【００５８】
更に、図４で示すように、スリット開口２３の周端縁に、内側に向けて膨出された凸部２７を形成することも可能である。
【００５９】
具体的には、図４（ａ）では、スリット開口２３の周端縁の適所に、内側に向けてヘソ状に膨出された１つの凸部２７を形成したものである。
【００６０】
このような凸部２７を設けたものによれば、図３で示すように、パネル受部材１を取付部材２に重合させて折畳み収納した後は、凸部２７がパネル受部材１の受止折曲片１１に圧接して保持するので、輸送中などの衝撃におけるガタツキを防止できる。
【００６１】
また、凸部２７は、その先端を半球状に形成しておけば、パネル受部材１をスリット開口２３へスムーズに折畳んで収納できる。
【００６２】
また、図４（ｂ）では、スリット開口２３の周端縁の適所に、内側に向けてヘソ状に膨出された一対の凸部２７を対向させて形成したものを示し、図４（ｃ）では、スリット開口２３の周端縁の適所に、内側に向けてヘソ状に膨出された一対の凸部２７を段違いに対向させて形成したものを各々している。
【００６３】
なお、これら図４（ａ）〜（ｃ）で示されたスリット開口２３の形状を、図４（ｄ）のものに代えたものであっても、凸部２７を形成できることは勿論である。
【実施例３】
【００６４】
図５は、本発明に係るスリット開口の更に他の実施例を示す屋根化粧パネル取付金具の起立状態の斜視図である。
なお、図１〜図４と共通する部位には、共通の番号を付し、その説明は省略する。
【００６５】
このスリット開口２３は、取付部材２の立上片２１に間隔をあけて複数形成したことを特徴とする。
【００６６】
このような複数のスリット開口２３を形成すれば、パネル受部材１を折畳んだときに、このパネル受部材１の一片である受止折曲片１１を、所望のスリット開口２３の位置で、パネル受部材１を取付部材２に重合させて折畳み収納することを選択できる。
【００６７】
そのため、仮組み状態に折畳み収納された屋根化粧パネル取付金具Ａの全長を選択することができ、例えば、輸送される梱包ケースの長さに応じて屋根化粧パネル取付金具Ａの長さを調節し、輸送中などの衝撃におけるガタツキを防止できる。
【産業上の利用可能性】
【００６８】
本発明は、屋根の軒先、ケラバ等に設けられる屋根化粧パネルを取付けるための屋根化粧パネル取付金具として有効に利用することが可能である。
【図面の簡単な説明】
【００６９】
【図１】本発明に係る屋根化粧パネル取付金具の一実施例を示す使用状態図である。
【図２】本発明に係る屋根化粧パネル取付金具の一実施例を示す起立状態の斜視図である。
【図３】図２の折畳み収納した状態を示す斜視図である。
【図４】（ａ）〜（ｄ）は、本発明に係るスリット開口の他の実施例を示す部分拡大した要部の正面図及び側面図である。
【図５】本発明に係るスリット開口の更に他の実施例を示す屋根化粧パネル取付金具の起立状態の斜視図である。
【符号の説明】
【００７０】
Ａ      屋根化粧パネル取付金具
Ｐ      屋根化粧パネル
Ｙ      屋根材
１      パネル受部材
１１    一片（受止折曲片）
２      取付部材
２３    スリット開口
３      連結具
【要約】
【課題】仮組み状態であっても、折り畳んでコンパクトに搬送できるうえ、搬送中の損傷やガタツキを防止できる屋根化粧パネル取付金具を提供する。
【解決手段】屋根化粧パネルＰを取付けるためのパネル受部材１と、屋根材Ｙに取付ける取付部材２とを連結具３で回転自在に連結し、これらパネル受部材１と取付部材２が、起立又は折畳可能に構成された屋根化粧パネル取付金具Ａにおいて、上記取付部材２には、上記パネル受部材１を折畳んだときに、このパネル受部材１の一片１１を収容するスリット開口２３を形成している。
【選択図】図１
【図１】
0003621701.tif 000002
【図２】
0003621701.tif 000003
【図３】
0003621701.tif 000004
【図４】
0003621701.tif 000005
【図５】
0003621701.tif 000006